(57)【要約】【課題】商品に関する香気情報を効果的に伝達できる販売促進方法を提供する。【解決手段】商品の視覚情報と香気情報を使った販売促進方法を提供する。この販売促進方法では、商品の画像または模型である視覚情報を見ている被伝達者に向けて、渦輪Ｒを筐体１２１内の空気砲から射出する。渦輪Ｒは香気を含んでいる。さらに渦輪Ｒは、微小液滴を含んで視認可能になっている。このようにすることにより、香気情報が被伝達者に伝達される。【選択図】図１
2018045106.tif 000002
【特許請求の範囲】
【請求項１】
商品の視覚情報と香気情報を使った販売促進方法であって、
前記商品の視覚情報を見ている被伝達者に向けて、香気を含み、かつ微小液滴を含ませて視認可能にした渦輪を空気砲から射出することにより前記香気情報を伝達することを特徴とする販売促進方法。
【請求項２】
前記商品の視覚情報が商品の画像または模型である、請求項１に記載の販売促進方法。
【請求項３】
前記商品の視覚情報が商品の模型であり、前記商品の模型に前記空気砲を組み込んだ請求項１に記載の販売促進方法。
【請求項４】
前記香気が香料を含む微粒子と湿気とから構成され、前記微小液滴がプロピレングリコールを主成分とする微小液滴である、請求項１から３のいずれか１項に記載の販売促進方法。
【発明の詳細な説明】
【技術分野】
【０００１】
本発明は、空気砲を利用した販売促進方法に関する。
【背景技術】
【０００２】
近年、空気砲を商品の販売促進に利用することがなされている。例えば、特許文献１では、商品の広告画像を見ている広告対象者（被伝達者）に対し、空気砲を用いて広告用香りを送出し、広告情報を伝達する装置及び方法が開示されている。また特許文献２には、匂い（香り）を含む渦輪を空気砲から観察者（被伝達者）に放出することによって、ストーリ性のある映像コンテンツに匂いを付加した、臨場感の向上を図った匂い提示情報付き映像コンテンツが開示されている。本技術は映像コンテンツの臨場感の向上を目的にしたものであり、電子商取引で使われている映像（商品ＰＲ映像）に応用することも触れられている。
【先行技術文献】
【特許文献】
【０００３】
【特許文献１】特開２０１０−３９３３３号公報
【特許文献２】特開２００６−２９５３２１号公報
【発明の概要】
【発明が解決しようとする課題】
【０００４】
しかしながら特許文献１には、渦輪を視認可能にすることへの言及はなく、広告用香りは広告対象者が視認できない状態で伝達される。このような場合、気流の影響や被伝達者の動き等によって渦輪が被伝達者からずれると、被伝達者は香りに気づかず、広告用香りを受け取れないという問題が生じる。また、特許文献２でも渦輪を視認可能にすることは触れられておらず、香りは映像の観察者が視認できない状態で提示され、同様な問題が懸念された。
従来、空気砲を用いて広告画像または映像コンテンツに香りを付加する場合、渦輪は可視化しないのが常識的であった。広告画像に注目を集める、あるいは映像コンテンツの臨場感を向上するという目的にとって、可視化された渦輪は目障りであり、販売促進につながらないと考えたためと思われる。
本発明者らは鋭意検討の結果、商品に関連する香りを付与した渦輪をむしろ視認可能にすることで、商品の販売が促進されうることを見出した。第一に、被伝達者が渦輪を視認しながら香りを嗅ぎにいけるため、被伝達者に効果的に香りを伝達できる。第二に、渦輪を鼻で追いかける楽しさと近づいてくる渦輪から感じられる香りへの期待感があって、被伝達者は楽しく香りを受け取ることができ、商品の映像等と併せて、被伝達者に印象を与えることができる。すなわち本発明は、商品の香りに関する情報（香気情報）を効果的に被伝達者に伝達できる販売促進方法に関する。
【課題を解決するための手段】
【０００５】
上記課題を解決するため、本発明の販売促進方法は、商品の視覚情報と香気情報を使った販売促進方法であって、前記商品の視覚情報を見ている被伝達者に向けて、香気を含み、かつ微小液滴を含ませて視認可能にした渦輪を空気砲から射出することにより前記香気情報を伝達することを特徴とする。
【発明の効果】
【０００６】
上記した本発明によれば、商品に関する香気情報を効果的に伝達できる販売促進方法を提供することができる。
【図面の簡単な説明】
【０００７】
【図１】第１実施形態の販売促進方法が実行される香気伝達装置の全体構成を示した模式図である。
【図２】本発明の一実施形態の販売促進方法に使用される空気砲を説明するための図である。
【図３】本発明の第１実施形態でいう「視野」を説明するための図である。
【図４】第２実施形態の販売促進方法が実行される香気伝達装置の全体構成を示した模式図である。
【発明を実施するための形態】
【０００８】
本発明の販売促進方法について、以下詳細に説明する。
本発明は、商品の視覚情報を見ている被伝達者に向けて、香気を含み、かつ微小液滴を含ませて視認可能にした渦輪を空気砲から射出することにより当該商品の香気情報を被伝達者に伝達する。
【０００９】
（商品）
本発明の商品としては、被伝達者が視覚でとらえることのできる形や構造をもつ物品が主な対象になる。物品以外にも、テレビプログラム、映画、土地や家等の不動産などのように、被伝達者が視覚でとらえることのできる商品は本発明の商品に含まれる。また、スポーツジムやホテル等のサービス、音楽のコンテンツ等のように被伝達者が視覚でとらえることのできない商品であっても、それらを表すキャラクターや映像のように、被伝達者が視覚でとらえられるものが備わっている場合は、本発明の商品に含めることができる。
【００１０】
（視覚情報）
商品の視覚情報とは、商品の画像または模型である。
商品の画像には静止画と動画があり、静止画としては写真、コンピューターグラフィック、スケッチ等が例示され、動画としては映像、映画、アニメーション等が例示される。商品の画像には、商品名、商品の効果効能、使用方法、販売会社名等を表す文字やロゴマーク等を表す図形を付加することができる。
商品の模型とは商品を模した構造体または商品の容器を模した構造体であり、当該構造体の外観が商品または商品の容器（以下、「商品等」とよぶ）に類似する。具体的には例えば、構造体の形状は商品等の全体または一部と略相似であり、構造体の表面は商品等と類似の色彩、装飾、デザインを有している。構造体の形状は商品等と完全に相似である必要はなく、構造体の形状が商品等を想起し得るものであればよい。商品等の一部を切り取った形状でもよい。構造体の表面も商品等と完全に同一の色彩、装飾、デザインを有している必要はなく、構造体の表面が商品等を想起し得るものであればよい。例えば構造体の表面には、商品の発売日、イベントの告知等の商品等には表記されていない文字を付与してもよい。
【００１１】
（香気情報）
商品の香気情報とは商品に付与された香りや商品のイメージを表す香り等のように商品の香りに関する情報を意味する。商品のイメージを表す香りは商品に付与された香りと異なっていてもよい。例えば森のイメージをもつ商品には、森を想起する香りを付与することができ、この香りが商品の香気情報となる。
本発明では、商品の視覚情報を見ている被伝達者に向けて、空気砲から渦輪を射出し、当該渦輪によって香気情報を被伝達者に伝達する。具体的には例えば、渦輪には商品と同じまたは類似の香りを付与する。ただしこのとき香料の成分は渦輪と商品とで異なっていてもよい。被伝達者は商品の視覚情報を見ながら、渦輪の香りを嗅ぎ、商品に付与された香り（香気情報）を知ることができる。あるいは渦輪には商品のイメージを表す香りを付与する。被伝達者は商品の視覚情報を見ながら、渦輪の香りを嗅ぎ、商品のイメージを表す香り（香気情報）を知ることができる。
【００１２】
（香気）
本発明では、香気を渦輪に含ませることによって、香気情報を渦輪に具備させる。香気は香料または溶媒に溶かした香料が気化または微粒子化したものである。香気には必要に応じて水を気化または微粒子化した湿気を含ませることもできる。微粒子化した場合の微粒子の直径は、重力による沈降を防ぐ観点から、２０μｍ以下であることが好ましい。
香料としては、公知の香料を特に制限なく用いることができ、例えば、ペパーミントオイル等の天然物から抽出した天然香料、リモネン等の化学的に合成した合成香料、二種以上の公知香料を適宜の割合で混合して得られる香料、メントール等のような常温では固体で昇華性のある香料等があげられる。また溶媒としてはエタノール、プロピレングリコール、ジプロピレングリコール、ブチレングリコール、クエン酸トリエチル、３−メトキシ−３−メチル−１−ブタノール、トリプロピレングリコールメチルエーテル等があげられるが、これらに限定されるものではない。扱い易さの点からエタノールが好適に用いられる。
【００１３】
（微小液滴）
本発明では、微小液滴を渦輪に含ませて、渦輪を視認可能にする。微小液滴は可視光を散乱するため、渦輪は白濁して視認可能になる。このための微小液滴の直径は１μｍ以上、２０μｍ以下が好ましい。直径が１μｍよりも小さいと微小液滴１個あたりの可視光の散乱能が低下し、視認性が低下する。直径が２０μｍよりも大きいと重力により沈降しやすくなる。また、単位体積あたりに充填できる微小液滴の数が減り、可視光の散乱量が低下して視認性が低下する。
微小液滴の原料となる液体としては、例えばプロピレングリコール、トリプロピレングリコール、１，３−ブチレングリコール等のグリコール類、グリセリン等の有機溶媒あるいはこれらを複数種混合した溶媒を使うことができる。これらに水を添加してもよい。臭気が少なく、扱い易さの点からプロピレングリコールが好適に用いられる。
本発明においては、香気を、香料または溶媒に溶かした香料の微粒子と湿気とを含んで構成し、当該香気を、プロピレングリコールを主成分とする微小液滴とともに渦輪に含ませることが特に好ましい。主成分とは最も重量比率の多い成分を意味する。気化した香料を香気に用いるよりも微粒子化した香料を用いる方が、渦輪中に高濃度で香料を含ませることができ、しかも気化した香料がプロピレングリコールを主成分とする微小液滴に吸収されて、希釈されるのを抑制することできる。また湿気も水の微粒子を含んで構成するのが好ましい。気化した水を湿気に用いるよりも微粒子化した水を用いる方が、気化した水がプロピレングリコールを主成分とする微小液滴に吸収されて、希釈されるのを抑制することできる。以上の結果、被伝達者は香り感知が容易になる。
【００１４】
（空気砲）
空気砲には公知の装置と同様なものを使用することができる。空気砲は、香気を生成するための香気発生装置、微小液滴を生成するための微小液滴発生装置、生成した香気と微小液滴を含んだ空気を保持するための気体充填槽、気体充填槽中の空気を加圧するための加圧装置、加圧された空気を外部に射出するための射出口、香気発生装置及び微小液滴発生装置及び加圧装置を駆動するための駆動装置を含んで構成される。香気発生装置は湿気を生成するための湿気発生装置を備えてもよい。
商品の視覚情報が商品の模型である場合、当該模型に空気砲を組み込むことができる。空気砲を構成するすべての部材を模型に組み込んでもよいし、一部の部材を模型に組み込み、残りの部材を模型の外に配置してもよい。このとき射出口と気体充填槽は模型に組み込むことが好ましい。香気発生装置、微小液滴発生装置、加圧装置、駆動装置は
模型に組み込んでも、模型外に配置してもよい。気体充填槽、香気発生装置、微小液滴発生装置、加圧装置、駆動装置等の部材を模型に組み込むときは、これらの部材を模型の内部に組み込み、被伝達者が当該部材を視認できないようにすることが好ましい。また、模型外に空気砲の部材を配置する場合も、被伝達者が当該部材を視認できないように、不透明な筐体等で部材を覆うことが好ましい。
液体状の製剤を容器の射出口から噴射して使用する商品の場合は空気砲を商品の模型に組み込むことが有効である。特に、容器を模した模型の噴射口の位置に空気砲の射出口を設けると、渦輪の射出が商品における製剤の噴射を想起させ、商品の販売促進につながると期待される。
【００１５】
以下、図面を用いて本発明の第１実施形態、第２実施形態の販売促進方法を説明する。また、上述した（商品）、（視覚情報）、（香気情報）、（香気）、（微小液滴）、（空気砲）に関する説明は第１実施形態、第２実施形態にもほぼそのまま適用され、重複する説明は適宜省略する。
【００１６】
［第１実施形態］
図１は、第１実施形態の販売促進方法が実行される香気伝達装置１２０の全体構成を示した模式図である。香気伝達装置１２０は、図２に示した空気砲１を備え、空気砲１は筐体１２１の中に設置されている。空気砲１の射出口５１から射出された渦輪Ｒは筐体１２１の開口１２２を通り、矢線Ｄで示す方向に被伝達者（図示せず）まで飛行する。被伝達者は椅子１２６に座り、映像表示装置１２４に映された映像を見ながら、空気砲１から射出された渦輪Ｒの香りを嗅ぐ。
第１実施形態では、被伝達者が渦輪Ｒを視認しやすいように、被伝達者から射出口５１を見た場合の背景の色をＨＳＶ色空間における明度４０％以下または彩度６０％以上の濃色にしている。具体的には、筐体１２１の前面１２１a及び筐体１２１に設けられた開口１２２を通して見える空気砲１の表面（射出口５１に設けたシャッタ８１１の表面も含める）を濃色としている。
【００１７】
第１実施形態では、映像表示装置１２４に商品の画像等の商品の視覚情報を提示する。この商品に付与された香りあるいは商品のイメージを表す香りが商品の香気情報となり、渦輪Ｒが上記香りと同じ香りになるように調整した香気を渦輪Ｒに含ませる。第１実施形態では、映像表示装置１２４に提示された商品の視覚情報を見ている被伝達者に向けて、上述のような香気を含み、かつ微小液滴を含ませて視認可能にした渦輪Ｒを空気砲１から射出することにより、商品の香気情報を被伝達者に伝達することができる。
空気砲１には公知の装置と同様なものを使用することができる。図２に示した空気砲１は、気体充填槽Ｓ、射出口５１、加圧装置９、香気発生装置７１、微小液滴発生装置７５、駆動装置１００を含んで構成される。
気体充填槽Ｓは、香気と微小液滴を含んだ空気を保持する。香気は香料と必要に応じて水分を含んで構成される。気体充填槽Ｓに保持された気体の全部または一部が射出口５１から矢印Ｄの方向に射出されて渦輪Ｒを形成し、被伝達者まで伝搬する。
射出口５１は渦輪Ｒを空気砲１から外部に射出する開口であり、略円形をなしている。射出口５１は気体充填槽Ｓの壁５３より射出方向の前方に突出する筒状部の先端に開口形成されている。射出口５１には気体を射出する期間にのみ開くシャッタ８１１が設けられている。射出口５１をシャッタ８１１でふさぐことによって、気体充填槽Ｓの香気が射出口５１から外部に漏れるのを低減することができる。
【００１８】
加圧装置９は気体充填槽Ｓの気体を加圧し、気体を射出口５１から外部へ射出する。図２の場合、加圧装置９は駆動装置１００によって電気的に駆動されて、弾性膜７を着脱可能な接合部６１、６３を通して牽引、解放する。すなわち、加圧装置９は弾性膜７に固定された接合部６１と加圧装置９に固定された接合部６３とが接合した状態で弾性膜７を牽引し、弾性膜７を延伸する。その後、接合部６１と接合部６３との接合を解き、弾性膜７を解放すると、弾性膜７は弾性的復元力によって収縮し、気体が加圧される。加圧装置９としては、これに限らず公知のものを特に制限なく用いることができ、例えば電磁式やピストン式等のエアーポンプを用いる方法、スプリングの弾性的復元力を利用する方法等があげられる。
【００１９】
香気発生装置７１は駆動装置１００によって電気的に駆動されて、香気を生成し、香気を気体充填槽Ｓ内に充填する。香気は香料または溶媒に溶かした香料が気化または微粒子化したものである。香気には必要に応じて水を気化または微粒子化した湿気を含ませることもできる。
【００２０】
香気発生装置７１は香料または溶媒に溶かした香料から香気を生成する。香料または溶媒に溶かした香料は香気発生装置７１内の貯蔵容器（図示せず）に貯蔵されている。香気の生成には公知の方法を用いることができ、例えば加熱による揮散、超音波振動による霧化、送風による放散等を利用することができる。常温で固体の昇華性の香料については、固体の状態で香気発生装置７１内の貯蔵容器に貯蔵し、送風による放散を利用し香気を生成できる。生成された香気は配管７７を通して気体充填槽Ｓ内に送られる。
香気発生装置７１は湿気発生装置７３を備えていてもよい。湿気発生装置７３は湿気を生成し、湿気を気体充填槽Ｓ内に充填する。湿気は水が気化または微粒子化したものである。水は湿気発生装置７３内の水用貯蔵容器（図示せず）に貯蔵されている。水には抗菌剤を添加してもよい。抗菌剤としては臭気が少なく、扱い易さの点からエタノールが好適に用いられる。
【００２１】
湿気の生成には公知の方法を用いることができ、例えば加熱による揮散、超音波振動による霧化等があげられる。生成された湿気は配管７８を通して気体充填槽Ｓ内に送られる。このようにして生成された湿気を香気に含ませることよって香りの質を変えることができる。特に、香りの質を天然物の香りに近い自然な感じの香りに変えるという観点からは、気体充填槽Ｓ内の相対湿度を７０％以上にすることが好ましい。
【００２２】
微小液滴発生装置７５は駆動装置１００によって電気的に駆動され、渦輪Ｒを視認可能にするための微小液滴を生成し、微小液滴を気体充填槽Ｓ内に充填する。第１実施形態においては、微小液滴を香気とともに渦輪Ｒに含ませ、渦輪Ｒを視認可能にする。微小液滴は可視光を散乱するため、渦輪Ｒは白濁し視認可能になる。微小液滴の原料となる液体は微小液滴発生装置７５内の液滴用貯蔵容器（図示せず）に貯蔵されている。微小液滴の生成には公知の方法を用いることができ、例えば加熱による揮散、超音波振動による霧化等があげられる。生成された微小液滴は配管７９を通して気体充填槽Ｓ内に送られる。
【００２３】
駆動装置１００は加圧装置９、香気発生装置７１、湿気発生装置７３、微小液滴発生装置７５に接続され、各装置を電気的に制御、駆動し、上記動作を行わせる。射出口５１にシャッタ８１１が設けられている場合は、駆動装置１００はシャッタ８１１も駆動し、開閉動作を行わせる。駆動装置１００には、香気発生装置７１、湿気発生装置７３及び微小液滴発生装置７５を駆動して香気及び微小液滴を気体充填槽Ｓに充填する図示しない充填開始スイッチや、加圧装置９とシャッタ８１１を駆動して空気砲１から渦輪Ｒを射出させる図示しない発射スイッチ等が備わっている。
【００２４】
第１実施形態では図１に示すように、駆動装置１００と電気的に接続された充填開始スイッチ、発射スイッチ等のスイッチ群１２７が筐体１２１の前面１２１aに配置されている。香気伝達装置１２０の操作者はスイッチ群１２７に配置された各スイッチを手で押して操作することができる。あるいは各スイッチと連動したリモコンを用意し、スイッチ群１２７から離れた場所でスイッチをリモコン操作してもよい。スイッチをリモコン操作できる場合、被伝達者自身がリモコン操作することもできる。
【００２５】
充填開始スイッチと発射スイッチは外部からの入力信号によって連動して動作するようにしてもよい。駆動装置１００が外部からの入力信号を受けて、タイマをスタートさせ、一定の待機時間後に充填開始スイッチを動作させ、さらに一定の待機時間後に発射スイッチを動作させる。例えば映像を開始するための開始信号を入力信号に用い、上記二つの待機時間を適切に定めれば、映像の内容と渦輪Ｒ（香気）を被伝達者に伝達するタイミングを調整することができる。このとき発射スイッチは、適当な待機時間を空けて複数回動作させてもよい。あるいは、被伝達者が椅子１２６に座ったことをセンサで検知し、この検知信号を入力信号に用いてもよい。このようにすれば、被伝達者が椅子１２６に座ると自動で渦輪Ｒ（香気）が射出され、香気伝達装置１２０の操作者によるスイッチ操作が不要になる。
【００２６】
第１実施形態の香気伝達装置１２０にはさらに映像表示装置１２４が備わっており、被伝達者は映像表示装置１２４に映される映像と音声を視聴しながら、渦輪Ｒによって運ばれる香りを嗅げるようになっている。映像表示装置１２４としては、液晶ディスプレイ、プラズマディスプレイ、スクリーンなどが例示される。ＤＶＤや投影機などの映像再生装置（図示せず）で再生された映像と音声が映像表示装置１２４に出力される。音声は無音とすることもできる。映像表示装置１２４としては、写真、コンピューターグラフィック、ポスター、絵画、スケッチなどのような静止画を表示した面状部材でもよい。
【００２７】
映像表示装置１２４には映像開始スイッチが設けられ、映像開始スイッチが押されると映像表示装置１２４に一連の映像と音声が流される。映像が終了すると、映像表示装置１２４は待機状態になる。あるいは映像表示装置１２４に映像終了スイッチを設け、映像終了スイッチが押されるまで映像を繰り返し流すようにしてもよい。第１実施形態では、映像開始スイッチ及び映像終了スイッチは、充填開始スイッチ及び発射スイッチとともにスイッチ群１２７として筐体１２１の前面１２１aに配置されている。これらのスイッチをリモコンで操作できるようにしてもよい。あるいは、被伝達者が椅子１２６に座ったことをセンサで検知し、この検知信号を入力信号にして映像開始スイッチが動作するようにしてもよい。
【００２８】
第１実施形態において、空気砲１は筐体１２１の内部に設置され、映像表示装置１２４の下に配置されている。本発明の販売促進方法はかかる構成に限定されるものでなく、空気砲１は映像表示装置１２４の周辺に配置され、被伝達者に向けて渦輪Ｒを射出するものであればよい。ここで、映像表示装置１２４の周辺とは映像表示装置１２４の外縁から１ｍ以内の範囲を指し、空気砲１の射出口５１の開口中心を当該範囲内に配置する。このとき、空気砲１は、被伝達者が映像表示装置１２４の画面１２４aを見る視野に含まれず、かつ渦輪Ｒの飛行経路上に映像表示装置１２４が含まれない位置に配置されることが好ましい。ここで視野とは、図３に示すように、被伝達者３の両目の中心点を頂点とし、映像表示装置１２４の画面１２４aを底面にもつ立体として定義する。空気砲１と映像表示装置１２４をこのような配置とすることにより、被伝達者は映像表示装置１２４に映される映像と音声を視聴しながら、飛行してくる渦輪Ｒを視認して、渦輪Ｒの香りを嗅ぐことができる。
【００２９】
第１実施形態の香気伝達装置１２０にはさらにソファー等の椅子１２６が備わっており、被伝達者は椅子１２６に座りながら、映像表示装置１２４に映される映像と音声を視聴し、渦輪Ｒによって運ばれる香りを嗅げるようになっている。椅子１２６を設け、被伝達者をそこに座らせることによって、被伝達者への香気情報の伝達がやりやすくなるという利点がある。具体的にはまず、空気砲１の射出口５１から被伝達者までの距離がほぼ一定になるため、加圧装置９の加圧速度を固定し、一定の飛行速度で渦輪Ｒを射出することができる。また、被伝達者の身長によらず、顔の位置がほぼ一定に定まるため、空気砲１から渦輪Ｒを射出する向きを固定することができる。渦輪Ｒは椅子１２６に座った座位姿勢にある成人の被伝達者の鼻付近を狙って空気砲１から射出される。子供のように背の低い被伝達者の場合は、椅子１２６から立ち上がって床面１２５に直立することで、椅子１２６に座った成人の顔の位置をめがけて飛んでくる渦輪Ｒに鼻を近づけて香りを嗅ぐことができる。空気砲１を映像表示装置１２４の下に配置し、渦輪Ｒを空気砲１から斜め上方に射出するようにすれば、空気砲１に近づくにつれ渦輪Ｒの飛行位置が低くなるので、特に背の低い子供は椅子１２６から立ち上がり空気砲１の方に歩いて近づくことによって渦輪Ｒに鼻を近づけ香りを嗅ぐことができる。
【００３０】
香気伝達装置１２０によれば、第１実施形態の販売促進方法は、以下の手順で実現される。
香気伝達装置１２０の操作者は被伝達者を指示して、映像表示装置１２４に正対するように被伝達者を椅子１２６の中央に座らせる。続いて、操作者はスイッチ群１２７の映像開始スイッチを手で押して、映像表示装置１２４に商品の視覚情報としての商品の紹介映像を流し、被伝達者に紹介映像を視聴させる。紹介映像には、商品の画像に加えて商品名、商品の効果効能、使用方法、販売会社名等が表示され、同時に音声による説明が流される。
続いて、香気伝達装置１２０の操作者はスイッチ群１２７の充填開始スイッチを押して
気体充填槽Ｓ内に香気及び微小液滴を充填させた後、発射スイッチを押して香気と微小液滴を含む渦輪Ｒを空気砲１から、紹介映像を見ている被伝達者に向けて射出する。香気は湿気を含み、渦輪Ｒが商品と同じ香りになるように香料の量、配合等が調整されている。微小液滴は可視光を散乱して渦輪Ｒを白濁させ、渦輪Ｒが被伝達者から視認可能になっている。
【００３１】
被伝達者は椅子１２６に座った状態で、商品の紹介映像（商品の視覚情報）を視聴しながら自分に向かって飛んで来る渦輪Ｒを視認し、渦輪Ｒに鼻を近づけて渦輪Ｒの香りを嗅ぐ。あるいは渦輪Ｒを顎や胸にあて拡散する香りを嗅ぐ。渦輪Ｒには商品と同じ香りが付与されており、渦輪Ｒの香りから商品に付与された香り（商品の香気情報）を知ることができる。
以上のような方法によれば、被伝達者は商品の映像（視覚情報）と香り（香気情報）を同時に認識し、商品に関する強い印象を受けることになる。特に、渦輪Ｒが視認可能になっているため、渦輪Ｒを鼻で追いかける楽しさと、近づいてくる渦輪Ｒから感じられる香りへの期待感があって、被伝達者は楽しく商品の香気情報を受け取ることができ、高い販売促進効果を期待できる。このようなエンタテイメント性は特に若者の被伝達者に対して効果的である。
【００３２】
第１実施形態の販売促進方法はかかる手順に限定されるものでなく、たとえば、商品の香気情報として渦輪Ｒに付与する香りは、商品のイメージを表す香りでもよい。また、商品の視覚情報を見ている被伝達者に向けて、渦輪Ｒを複数回射出してもよい。さらに、操作者による映像開始スイッチ、充填開始スイッチ、発射スイッチの操作はリモコン操作としてもよい。
あるいは、充填開始スイッチと発射スイッチが映像開始スイッチと連動して動作するような構成をもつ香気伝達装置１２０を用い、操作者による充填開始スイッチと発射スイッチの操作を省略してもよい。すなわち、香気伝達装置１２０の駆動装置１００が映像開始スイッチから出された映像の開始信号を受信してタイマをスタートさせ、一定の待機時間後に充填開始スイッチを動作し、さらに一定の待機時間後に発射スイッチを動作する構成とする。かかる構成の装置を用いれば、操作者は被伝達者を椅子１２６の中央に座らせた後、映像開始スイッチを押すことによって、映像表示装置１２４に商品の紹介映像を流し商品の視覚情報を被伝達者に伝達するとともに、渦輪Ｒを被伝達者に射出して商品の香気情報を伝達できる。しかも待機時間を調整することによって、紹介映像と渦輪Ｒの射出とのタイミングを調整できるので、紹介映像の中で商品の香りが欲しいタイミングに合わせて渦輪Ｒを射出し、商品の香気情報をタイムリーに被伝達者に伝えることができる。このとき、映像開始スイッチはリモコン操作できるようにしてもよく、操作者の代わりに被伝達者自身が映像開始スイッチをリモコン操作してもよい。
【００３３】
あるいはさらに、上述の香気伝達装置１２０において、被伝達者が椅子１２６に座ったことをセンサで検知し、この検知信号を入力信号にして映像開始スイッチが動作するようにしてもよい。こうすれば、操作者または被伝達者による映像開始スイッチの操作を不要にできる。このようにすれば、被伝達者が椅子１２６に座ると自動で映像表示装置１２４に商品の紹介映像が流れ、商品の視覚情報が被伝達者に伝達されるとともに、渦輪Ｒが被伝達者に射出され商品の香気情報が伝達される。
【００３４】
また、渦輪Ｒが射出口５１から被伝達者まで飛行している途中で、渦輪Ｒに非白色光をあて、渦輪Ｒの視認性を向上させてもよい。射出口５１から被伝達者まで飛行する渦輪Ｒに、非白色光を継続的にあててもよいし、断続的あるいは一時的にあててもよい。光をあてる方向に特に制限はない。光源を床面１２５に置いて渦輪Ｒの下方から光をあてる方法や、椅子１２６の後方（被伝達者が椅子１２６に座って空気砲１と正対したときの背面側）に光源を置いて渦輪Ｒの正面から光をあてる方法等が例示される。
【００３５】
第１実施形態の販売促進方法において、射出口５１から被伝達者までの距離を１ｍ以上、３ｍ以下とする場合は、香気伝達装置１２０の射出口５１の口径を４ｃｍ以上、１５ｃｍ以下とし、秒速１ｍ以上、秒速２．５ｍ以下の飛行速度で渦輪Ｒが飛行するように、３５０ｃｍ３以上、２５００ｃｍ３以下の体積の気体を、空気砲１から射出する構成とすることが好ましい。ここで、射出口５１から被伝達者までの距離とは、射出口５１の開口中心から被伝達者の鼻までの距離をいう。
射出口５１は渦輪Ｒを空気砲１から外部に射出する開口であり、略円形をなしている。射出口５１の口径（直径）は４ｃｍ以上、１５ｃｍ以下であることが好ましい。開口が完全な円形でない場合は、開口の内接円の直径を射出口５１の口径と定義する。
【００３６】
口径（直径）が４ｃｍ以上であることにより、渦輪Ｒで運べる気体量（香気の量）を担保でき、被伝達者の香り感知を容易とすることができる。そして、上記の理由から、射出口５１の口径（直径）は、好ましくは５ｃｍ以上であり、より好ましくは７ｃｍ以上である。また、口径（直径）が１５ｃｍ以下であることにより、射出口５１から射出される渦輪Ｒが人の顔よりも大きくなるのを防ぎ、その結果、香気が広範囲に広がって薄まることがなく、また被伝達者に吸引されずに散逸する香気が減り、被伝達者への香気の伝達効率を高めることができる。そして、上記の理由から、射出口５１の口径（直径）は、好ましくは１４ｃｍ以下であり、より好ましくは１２ｃｍ以下である。
【００３７】
射出する気体の体積は、渦輪Ｒで運ぶ香気量を担保し、被伝達者の香り感知を容易とする観点から、３５０ｃｍ３以上とすることが好ましく、６００ｃｍ３以上とすることがさらに好ましい。また、射出する気体の体積は、香気の伝達効率の低下を防ぐ観点から、２５００ｃｍ３以下とすることが好ましく、１５００ｃｍ３以下とすることがさらに好ましい。射出する気体の体積が過剰になると、渦輪Ｒの飛行中に渦輪Ｒから脱落する香気の量が増え、被伝達者への香気の伝達効率が低下する。また、香気が広範囲に広がって被伝達者に吸引されずに散逸する香気が増え、被伝達者への香気の伝達効率が低下する。
【００３８】
また、渦輪Ｒが秒速１ｍ以上、秒速２．５ｍ以下の飛行速度で飛行するように加圧装置９の加圧速度を調整し、気体（渦輪Ｒ）を射出するのが好ましい。渦輪Ｒが飛行する速度は空気抵抗のため徐々に遅くなるので、本実施形態では「飛行速度」を、渦輪Ｒが射出口５１から１ｍ先の地点まで飛行する際の平均速度と定義する。具体的には、気体（渦輪Ｒの先頭）が射出口５１から出て、射出口５１から１ｍ先の地点に到達するまでの時間をｔ秒とすると、飛行速度は１／ｔ［ｍ／秒］で計算される。
渦輪Ｒの飛行速度が秒速１ｍ以上であることによって、渦輪Ｒが空気抵抗の影響により被伝達者に到達する前に崩れて香気が消散するのを防ぐことができる。そして、上記の理由により、渦輪Ｒの飛行速度は秒速１．１ｍ以上が好ましく、秒速１．２ｍ以上がより好ましい。
また、秒速２．５ｍ以下であることによって、渦輪Ｒが被伝達者の顔や鼻に衝突する衝撃を低減でき、被伝達者が渦輪Ｒから受ける風圧の違和感を防ぐことができる。また香気が瞬時に被伝達者を通過してしまうことを防ぎ、香気が被伝達者の周囲に漂うため、被伝達者の香り感知を容易にできる。そして、上記の理由により、渦輪Ｒの飛行速度は秒速２．２ｍ以下が好ましく、秒速２．０ｍ以下がより好ましい。
【００３９】
［第２実施形態］
次に、本発明の第２実施形態の販売促進方法を説明する。
図４は、第２実施形態の販売促進方法が実行される香気伝達装置１５０の全体構成を示した模式図である。図４において、図１、図２に示した構成要素と同様の構成要素については同様の符号を付し、その説明を一部略すものとする。
第２実施形態の香気伝達装置１５０は、商品の容器形状を模した模型部１５４ａと直方体形状の台座部１５４ｂとで構成される空気砲１５４を備える。被伝達者（図示せず）は椅子１３６に座り、商品の容器形状を模した模型部１５４ａを見ながら、空気砲１５４から射出された渦輪Ｒの香りを嗅ぐ。
第２実施形態では、模型部１５４aが商品の視覚情報となる。渦輪Ｒには香気によって商品と同じ香りが付与されており、被伝達者は渦輪Ｒの香りから商品に付与された香り（商品の香気情報）を知ることができる。すなわち、商品の視覚情報である模型部１５４aを見ている被伝達者に向けて、香気を含み、かつ微小液滴を含ませて視認可能にした渦輪Ｒを空気砲１５４から射出することにより、商品の香気情報を被伝達者に伝達する。
【００４０】
模型部１５４aには、図２に示した気体充填槽Ｓ、加圧装置９、弾性膜７、接合部６１，６３が収容されている。また台座部１５４ｂには、香気発生装置７１、湿気発生装置７３（図示せず）、微小液滴発生装置７５（図示せず）、駆動装置１００（図示せず）が収容されている。台座部１５４ｂの前面にはスイッチ群１５７が設けられている。模型部１５４aと台座部１５４ｂとの間には、香気発生装置７１で生成された香気を気体充填槽Ｓ内に送るための配管７７及び、湿気発生装置７３で生成された湿気を気体充填槽Ｓ内に送るための配管７８（図示せず）及び、微小液滴発生装置７５で生成された微小液滴を気体充填槽Ｓ内に送るための配管７９（図示せず）が接続されている。模型部１５４aには射出口１５１が設けられ、射出口１５１から渦輪Ｒが射出される。
模型部１５４aの表面には商品の容器と同様の色彩やデザインが施されている。当該商品は液体状の製剤を容器の噴射口から噴射して使用する商品であり、射出口１５１は噴射口に対応する、模型部１５４a上の位置に設けられている。このため、渦輪Ｒの射出が商品における製剤の噴射を想起させるようになっている。台座部１５４ｂは内部を透視できない部材で形成されており、被伝達者は台座部１５４ｂ内に収容された香気発生装置７１、湿気発生装置７３、微小液滴発生装置７５、駆動装置１００等を視認できないようになっている。
【００４１】
第２実施形態の香気伝達装置１５０は、映像表示装置１２４の代わりに商品の形状を模した模型部１５４ａを用いた点と、模型部１５４ａに空気砲の構成要素の一部を組み込んだ点で第１実施形態の香気伝達装置１２０と相違している。第１実施形態における、気体充填槽Ｓ，射出口５１、加圧装置９、香気発生装置７１、湿気発生装置７３、微小液滴発生装置７５、駆動装置１００に関する説明は、第２実施形態にもほぼそのまま適用される。
なお、第２実施形態の香気伝達装置１５０は、以上の構成に限定されるものではない。たとえば、香気発生装置７１、湿気発生装置７３、微小液滴発生装置７５、駆動装置１００のすべてまたは一部を模型部１５４ａに収容することもできる。あるいは空気砲の構成要素（装置）をすべて模型部１５４ａに収容し、台座部１５４ｂを省略することもできる。
また、椅子１３６の代わりに、被伝達者の床面上の立ち位置を示す位置決め部を設けてもよい。位置決め部としてはたとえば、床面に描かれた図形や記号、床上に設置したシートに描かれた図形や記号、床面を照らすスポットライト、柵及び天井から吊り下げられたパネル等であってもよい。このとき被伝達者は床に立った姿勢あるいは屈んだ姿勢で渦輪Ｒの香りを嗅ぐ。
【００４２】
香気伝達装置１５０によれば、第２実施形態の販売促進方法は、以下の手順で実現される。
香気伝達装置１５０の操作者は被伝達者を指示して、模型部１５４ａに正対するように被伝達者を椅子１３６の中央に座らせる。続いて、スイッチ群１５７の充填開始スイッチを押して気体充填槽Ｓ内に香気及び微小液滴を充填させた後、発射スイッチを押して香気と微小液滴を含む渦輪Ｒを空気砲１５４から、商品の模型（模型部１５４a）を見ている被伝達者に向けて射出する。香気は湿気を含み、渦輪Ｒが商品と同じ香りになるように香料の量、配合等が調整されている。微小液滴は可視光を散乱して渦輪Ｒを白濁させ、渦輪Ｒが被伝達者から視認可能になっている。
被伝達者は椅子１３６に座った状態で、商品の模型部１５４a（商品の視覚情報）を見ながら自分に向かって飛んで来る渦輪Ｒを視認し、渦輪Ｒに鼻を近づけて渦輪Ｒの香りを嗅ぐ。あるいは渦輪Ｒを顎や胸にあて拡散する香りを嗅ぐ。渦輪Ｒには商品と同じ香りが付与されており、渦輪Ｒの香りから商品に付与された香り（商品の香気情報）を知ることができる。
以上のような方法によれば、被伝達者は商品の模型（視覚情報）と香り（香気情報）を同時に認識し、商品に関する強い印象を受けることになる。特に、渦輪Ｒが視認可能になっているため、渦輪Ｒを鼻で追いかける楽しさと、近づいてくる渦輪Ｒから感じられる香りへの期待感があって、被伝達者は楽しく商品の香気情報を受け取ることができ、高い販売促進効果を期待できる。さらに当該商品は液体状の製剤を容器の噴射口から噴射して使用する商品であり、射出口１５１は噴射口に対応する、模型部１５４a上の位置に設けられている。このため、渦輪Ｒの射出が商品における製剤の噴射を想起させる。このようなエンタテイメント性は特に若者の被伝達者に対して効果的である。
【００４３】
第２実施形態の販売促進方法はかかる手順に限定されるものでなく、たとえば、商品の香気情報として渦輪Ｒに付与する香りは、商品のイメージを表す香りでもよい。また、商品の視覚情報を見ている被伝達者に向けて、渦輪Ｒを複数回射出してもよい。また、被伝達者を椅子１３６に座らせる前に、スイッチ群１５７の充填開始スイッチを押して気体充填槽Ｓ内に香気及び微小液滴を充填しておいてもよい。さらに、操作者による充填開始スイッチ、発射スイッチの操作はリモコン操作としてもよい。
あるいは、充填開始スイッチと発射スイッチが連動して動作するような構成をもつ香気伝達装置１５０を用い、操作者による発射スイッチの操作を省略してもよい。すなわち、充填開始スイッチが押されてから一定時間、香気と微小液滴を気体充填槽Ｓに充填したら自動的に発射スイッチを動作する構成とする。かかる構成の装置を用いれば、操作者は被伝達者を椅子１３６の中央に座らせた後、充填開始スイッチを押すことによって、一定時間後に自動的に渦輪Ｒが被伝達者に射出され、商品の香気情報を伝達することできる。このとき、充填開始スイッチはリモコン操作できるようにしてもよく、操作者の代わりに被伝達者自身が充填開始スイッチをリモコン操作してもよい。
【００４４】
あるいはさらに、上述の香気伝達装置１５０において、被伝達者が椅子１３６に座ったことをセンサで検知し、この検知信号を入力信号にして充填開始スイッチが動作するようにしてもよい。このようにすれば、操作者または被伝達者による充填開始スイッチの操作を不要にできる。被伝達者が椅子１３６に座ると一定時間後に自動で渦輪Ｒが被伝達者に向けて射出され、商品の香気情報が伝達される。また、椅子１３６の代わりに、被伝達者の床面上の立ち位置を示す位置決め部を設けた場合は、被伝達者が位置決め部に位置したことをセンサで検知し、この検知信号によって充填開始スイッチを動作させ、渦輪Ｒを射出するようにしてもよい。
【００４５】
第２実施形態の販売促進方法においても、射出口１５１から被伝達者までの距離を１ｍ以上、３ｍ以下とする場合は、香気伝達装置１５０の射出口１５１の口径、渦輪Ｒの飛行速度、射出する気体の体積の好ましい数値範囲は第１実施形態に記載した通りである。ここで、射出口１５１から被伝達者までの距離とは、射出口１５１の開口中心から被伝達者の鼻までの距離をいう。
第２実施形態では空気砲を商品の模型に組み込んだが、空気砲を商品の模型に組み込まず、商品の模型と空気砲を別々に設けた構成とすることもできる。
本発明において商品の視覚情報を商品の模型とするとき、商品の模型と空気砲を別々に設けた構成としてもよい。液体状の製剤を容器の噴射口から噴射して使用する商品の場合は、第２実施形態のように、空気砲を商品の模型に組み込む方法が有効であり、特に、容器を模した模型の噴射口の位置に空気砲の射出口を設けると、渦輪の射出が商品における製剤の噴射を想起させ、商品の販売促進につながると期待される。
［参考例］
【００４６】
（第１参考例）
次に、以上説明した第１実施形態の第１参考例を説明する。
第１参考例では、被伝達者が座る椅子の正面に液晶ディスプレイを設置し、液晶ディスプレイよりも下方に空気砲を設置した。椅子は、被伝達者が椅子の中央に座ったとき空気砲の射出口と被伝達者との距離が２ｍになる位置に設置されている。空気砲は、椅子の中央に座った被伝達者（成人）の略顔の位置に渦輪を射出できるように、斜め上方に射出方向が固定されている。空気砲は、渦輪が１．５ｍ／秒の飛行速度で飛行するような加圧速度で、８００ｃｍ３の気体を口径（直径）が１０ｃｍの射出口から射出する。空気砲は、射出口を除いて彩度約９０％の茶色（明度約５０％、色相０°）の筐体で覆われ、射出口には明度約１０％の黒色（彩度約１０％、色相０°）のシャッタが設けられている。
【００４７】
被伝達者は、椅子の中央に座り、液晶ディスプレイのリモコンに設けられた映像開始スイッチを押し、映像をスタートさせる。液晶ディスプレイには商品を紹介する動画が音声とともに流れ、被伝達者は椅子に座った状態で映像を視聴する。
空気砲の駆動装置は、映像開始スイッチ（リモコン）から送られた信号を受信し、タイマをスタートさせ、一定の待機時間後に気体充填槽に、プロピレングリコールを主成分とする平均粒子径（直径）約１０μｍの微小液滴及び、湿気を含む香気の充填を開始する。湿気を含む香気は、商品と同じ香りになるように調整されている。さらに、駆動装置は、一定の待機時間後に加圧装置を駆動し、渦輪を射出する。
射出された渦輪はプロピレングリコールを主成分とする微小液滴を含んでいるため、可視光を散乱して白濁し、視認可能になっている。このため、渦輪の被伝達者は、商品の映像を視聴しながら自分に向かって飛んで来る渦輪を視認し、渦輪に鼻を近づけて渦輪の香りを嗅ぐことができる。
このような参考例によれば、渦輪の被伝達者は商品の映像（視覚情報）と香り（香気情報）を同時に認識し、商品に関する強い印象を受けることになる。特に、渦輪が視認可能になっているため、渦輪を鼻で追いかける楽しさと、近づいてくる渦輪から感じられる香りへの期待感があって、被伝達者は楽しく商品の香気情報を受け取ることができ、商品の販売促進につながると期待される。
【００４８】
（第２参考例）
次に、以上説明した第２実施形態の第２参考例を説明する。
第２参考例では、商品の容器と略相似で、８倍の体積を持つ模型部を有する空気砲を構成した。空気砲の射出口は容器の噴射口に対応する場所に設けられ、模型部の噴射口周辺は他の部分より大きめに作られている。模型部の表面には商品の容器と同様の色彩やデザインが施されており、模型部は内部を透視できない台座部の上にのせられている。
模型部の中には気体充填槽と加圧装置が組み込まれている。一方、香気発生装置、湿気発生装置、微小液滴発生装置、駆動装置等は台座部の中に納められており、台座部が不透明であるため被伝達者はそれらの装置を視認できないようになっている。
【００４９】
空気砲の正面の床には被伝達者の立ち位置を示す円形のマークを描いて位置決め部とし、円形の中心と空気砲の射出口との距離を１．２ｍに設定した。このため、立ち位置に立った被伝達者と空気砲の射出口との距離は約１．２ｍとなる。空気砲は、円形の中心に立った被伝達者（成人）の胸の位置に渦輪を射出できるように、水平よりやや上向きに射出方向が固定されている。
空気砲は、渦輪が秒速１．２ｍの速度で飛ぶような加圧速度で、３９０ｃｍ３の気体を口径５ｃｍの射出口から射出する。操作者は、空気砲の充填開始スイッチを押して気体充填槽内にプロピレングリコールを主成分とする平均粒子径（直径）約１０μｍの微小液滴及び、湿気を含む香気を充填させて待機する。射出口にはシャッタが設けられており、渦輪を射出する期間以外はシャッタによって気体充填槽Ｓを閉じて、待機中に香気及び微小液滴が気体充填槽から漏れるのを防いでいる。
【００５０】
立ち位置を示す円形マーク内に被伝達者が入り、模型部の方を向き静止したら、操作者は空気砲の発射スイッチを押して香気と微小液滴を含む渦輪を被伝達者に向けて射出する。湿気を含む香気は、商品と同じ香りになるように調整されている。射出された渦輪はプロピレングリコールを主成分とする微小液滴を含んでいるため、光を散乱して白濁し、視認可能になっている。
被伝達者は商品の模型部を見ながら、自分の胸に向かって飛行してくる渦輪を視認し、ややかがみながら渦輪に鼻を近づけて商品と同じ香りを嗅ぐ。被伝達者は商品の模型部（視覚情報）を見ながら商品の香り（視覚情報）を感知し、商品に対する強い印象を受ける。また、本商品は液体状の製剤を容器の噴射口から噴射して使用する商品であり、容器を模した模型の噴射口の位置に空気砲の射出口を設けてあるため、渦輪の射出が商品における製剤の噴射を想起させ、商品の販売促進につながると期待される。
【実施例】
【００５１】
次に、上記した第１実施形態の実施例を説明する。
表１及び表２は、第１実施形態の図２に示した空気砲と類似の構造をもつ空気砲を用いて、感じる香りの強度と香りの感知難易度（嗅ぎやすさ）を複数の条件下で評価した実験結果を示すものである。表１と表２のいずれにおいても、複数の条件で行った実験の各々をアルファベットの表記で特定している。
表１及び表２では、香りの強度を以下の基準で表している。
◎  強い香りを感じる
○  香りを感じる
△  弱い香りを感じる
×  香りを感じない
また、香りの感知難易度を以下の基準で表している。
○  香りを嗅ぎやすい
△  香りを嗅ぐことができる
×  香りを嗅ぎ難い
【００５２】
表１は、渦輪の飛行速度をパラメータとし、射出口と被伝達者との距離を２ｍ、射出口の口径を１０ｃｍ、射出される気体の体積を約８００ｃｍ３に固定した実験の結果を示す表である。また、使用香料はフルーティ系の香料であり、湿気（超音波振動で微粒子化した水）とプロピレングリコールを主成分とする微小液滴を添加した。
表１によれば、渦輪の飛行速度が１ｍ／秒から２．５ｍ／秒の実験Ａ、実験Ｂ及び実験Ｃの条件において、被伝達者が香料の香りを簡易に感知できることがわかった。
【００５３】
【表１】
2018045106.tif 000003
【００５４】
表２は、射出口の口径をパラメータとし、渦輪の飛行速度を１．５ｍ／秒、射出口と被伝達者との距離を２ｍ、射出される気体の体積を約８００ｃｍ３に固定した実験の結果を示す表である。また、使用香料はフルーティ系の香料であり、湿気（超音波振動で微粒子化した水）とプロピレングリコールを主成分とする微小液滴を添加した。
表２によれば、射出口の口径が４ｃｍから１５ｃｍの実験Ｄ、実験Ｅ及び実験Ｆの条件において、被伝達者が香料の香りを簡易に感知できることがわかった。
【００５５】
【表２】
2018045106.tif 000004
【００５６】
上記実施形態および実施例は以下の技術思想を包含するものである。
（１）商品の視覚情報と香気情報を使った販売促進方法であって、
前記商品の視覚情報を見ている被伝達者に向けて、香気を含み、かつ微小液滴を含ませて視認可能にした渦輪を空気砲から射出することにより前記香気情報を伝達することを特徴とする販売促進方法。
（２）前記商品の視覚情報が商品の画像または模型である、（１）の販売促進方法。
（３）前記商品の視覚情報が商品の模型であり、前記商品の模型に前記空気砲を組み込んだ（１）の販売促進方法。
（４）前記香気が香料を含む微粒子と湿気とから構成され、前記微小液滴がプロピレングリコールを主成分とする微小液滴である、（１）から（３）のいずれか１つの販売促進方法。
【符号の説明】
【００５７】
１、１５４・・・空気砲
３・・・被伝達者
７・・・弾性膜
９・・・加圧装置
５１，１５１・・・射出口
５３・・・壁
６１、６３・・・接合部
７１・・・香気発生装置
７３・・・湿気発生装置
７５・・・微小液滴発生装置
７７・・・配管
７８・・・配管
７９・・・配管
１００・・・駆動装置
１２０，１５０・・・香気伝達装置
１２１・・・筐体
１２１a・・・前面
１２２・・・開口
１２４・・・映像表示装置
１２４a・・・画面
１２５・・・床面
１２６，１３６・・・椅子
１２７，１５７・・・スイッチ群
１５４a・・・模型部
１５４ｂ・・・台座部
８１１・・・シャッタ
【図１】
2018045106.tif 000005
【図２】
2018045106.tif 000006
【図３】
2018045106.tif 000007
【図４】
2018045106.tif 000008